(57)【要約】【課題】長寿命であって簡単な構成で光のちらつきがなく、正確なフィルム観察を行うことができるフィルム観察装置を提供する。【解決手段】観察対象のフィルムを透過する光を発するフィルム観察装置１であって、フィルム支持部１３を備えたケーシング３と、前記ケーシング３の少なくとも一面に設けられた照光板２と、前記ケーシング３の内部で前記照光板２と対向するよう設けられた反射面１４ａと、当該反射面１４ａ上に散点状に多数配置された発光ダイオード４と、を備えている。【選択図】　　　図１
2004094031.tif 000002
【特許請求の範囲】
【請求項１】
観察対象のフィルムを透過する光を発するフィルム観察装置であって、
フィルム支持部を備えたケーシングと、
前記ケーシングの少なくとも一面に設けられた照光板と、
前記ケーシングの内部で前記照光板と対向するよう設けられた反射面と、
当該反射面上に散点状に多数配置された発光ダイオードと、
を備えていることを特徴とするフィルム観察装置。
【請求項２】
前記フィルム支持部の近くに配置された発光ダイオードを点灯させた状態で、少なくとも前記フィルム支持部から離れて配置された発光ダイオードを消灯可能であることを特徴とする請求項１記載のフィルム観察装置。
【請求項３】
点灯している発光ダイオードの数を増減させることで輝度を調整可能とされているとともに、一部の発光ダイオードを消灯して輝度を低下させても点灯している発光ダイオードがほぼ均等分布となっていることを特徴とする請求項１又は２記載のフィルム観察装置。
【請求項４】
多数の発光ダイオードの点灯・消灯操作を行う点灯消灯スイッチと、当該点灯消灯スイッチで点灯される発光ダイオードのうちのいくつかを消灯させる部分消灯スイッチと、を備えていることを特徴とする請求項１〜３のいずれかに記載のフィルム観察装置。
【請求項５】
前記照光板は、ヘーズ値が９０〜１００％、光透過率が１５〜５０％である高へーズ低透過率の拡散板であることを特徴とする請求項１〜４のいずれかに記載のフィルム観察装置。
【発明の詳細な説明】
【０００１】
【発明の属する技術分野】
本発明は、Ｘ線写真フィルムなどを観察するための観察装置に関するものである。
【０００２】
【従来の技術】
Ｘ線写真フィルムを観察する観察装置としては、前面に白色透光板を備え、内部に蛍光灯を内蔵したものがある（例えば、特許文献１参照）。
【０００３】
【特許文献１】
特開昭５５−１６４８７８号公報
【０００４】
【発明が解決しようとする課題】
しかし、蛍光灯は、寿命が一般に６０００Ｈ〜８０００Ｈ以下であって、短い。また、蛍光灯が寿命に至らなくとも、蛍光灯の黄変化や電極部における暗黒化が進むことで、Ｘ線写真が鮮明に観察できなくなることがある。このため、従来の観察装置では、頻繁に蛍光灯を取り替える必要があった。
しかも、蛍光灯は、交流電源によって点灯するため、点滅点灯を繰り返しており、商用電源のような低周波でそのまま点灯すると、光にちらつきがあり、観察者の目がつかれて観察を阻害するという問題がある。一方、ちらつきをなくすために蛍光灯を高周波点灯しようとするとインバータが必要となり装置の複雑化・大型化を招く。
【０００５】
さらに、従来の観察装置では、観察対象であるフィルムが小さい場合には、フィルムを透過する光だけでなく、フィルムの周囲から出る光が観察者の目に入り、まぶしくなってフィルムの観察を妨げるという問題があるが、特許文献１の技術では、かかる問題に対して考慮がなされていなかった。
本発明は、このような事情に鑑みてなされたものであって、長寿命であって簡単な構成で光のちらつきがなく、正確なフィルム観察を行うことができるフィルム観察装置を提供することを目的とする。
【０００６】
【課題を解決するための手段】
本発明は、観察対象のフィルムを透過する光を発するフィルム観察装置であって、フィルム支持部を備えたケーシングと、前記ケーシングの少なくとも一面に設けられた照光板と、前記ケーシングの内部で前記照光板と対向するよう設けられた反射面と、当該反射面上に散点状に多数配置された発光ダイオードと、
を備えていることを特徴とする。
【０００７】
本発明では、光源として発光ダイオードを備えており、この発光ダイオードは、蛍光灯に比べて長寿命であるため交換が殆ど不要である。また発光ダイオードは直流電源によって点灯するため、蛍光灯のような光のちらつきがない。
しかも、発光ダイオードは、点状の光源であるが、反射面上に散点状に多数配置されているため、照光板上では、輝度ムラの少ないほぼ均一な照光面が得られ、正確なフィルム観察を行うことができる。また、発光ダイオードは比較的安価であるため、多数設けてもコスト高を防止できる。
【０００８】
また、本発明では、前記フィルム支持部の近くに配置された発光ダイオードを点灯させた状態で、少なくとも前記フィルム支持部から離れて配置された発光ダイオードを消灯可能であるのが好ましい。小さいフィルムをフィルム支持部に支持させたとき、フィルム支持部から離れて配置された発光ダイオードの光はフィルムを透過せずに、フィルム周囲から漏れる余分な光となるが、多数の発光ダイオードのうち、少なくともフィルム支持部から離れた配置された発光ダイオードを消灯させることで、余分な光を低減することができる。
【０００９】
さらに、本発明では、点灯している発光ダイオードの数を増減させることで輝度を調整可能とされているとともに、一部の発光ダイオードを消灯して輝度を低下させても、点灯している発光ダイオードがほぼ均等分布となっているのが好ましい。点灯する発光ダイオードの数を増減させて、照光板上における輝度を観察しやすい輝度にすることで、フィルム観察が容易になる。しかも、輝度調整が点灯する発光ダイオードの数を変化させるものであるので、各発光ダイオードの点灯と消灯の切換をおこなうだけで、輝度を調整でき、構成が簡単になる。
【００１０】
しかも、一部の発光ダイオードを消灯しても、点灯している発光ダイオードがほぼ均等分布となっているため、点灯している発光ダイオードの数にかかわらず、照光板における輝度分布がほぼ均一となる。
【００１１】
そして、本発明では、多数の発光ダイオードの点灯・消灯操作を行う点灯消灯スイッチと、当該点灯消灯スイッチで点灯される発光ダイオードのうちのいくつかを消灯させる部分消灯スイッチと、を備えているのが好ましい。この場合、点灯消灯スイッチによって点灯させた発光ダイオードのうち、いくつか発光ダイオードを部分消灯スイッチによって消灯させることができる。これにより、例えば不必要な範囲にある発光ダイオードを部分的に消灯させることができる。
【００１２】
さらにまた、本発明では、照光板は、ヘーズ値が９０〜１００％、光透過率が１５〜５０％である高へーズ低透過率の拡散板であるのが好ましい。発光ダイオードの光は点状であることから、発光ダイオードの数が少ないと、照光板上における輝度ムラ（照光板の発光ダイオード直上位置は明るく、発光ダイオード間は暗い）が生じやすい構造となっているが、本発明者の知見により高へーズ低透過率の拡散板を用いることで、効果的に輝度ムラを抑制できた。しかも、高へーズ低透過率の拡散板によって輝度ムラを抑制できるため、各発光ダイオード間の距離を大きくとって発光ダイオードの数を少なくすることが可能となる。
【００１３】
【発明の実施の形態】
以下、本発明の好ましい実施形態を図面に基づいて説明する。図１及び図２は、第１実施形態に係るＸ線写真フィルム用のフィルム観察装置（シャウカステン）１を示している。この観察装置１は、Ｘ線写真フィルムの裏面から光を当ててＸ線写真を明瞭に観察するためのものである。
観察装置１は、外部へ光が照射される照光面を形成する照光板２を有するケーシング３と、このケーシング３の内部に備わった光源としての白色発光ダイオード（ＬＥＤ）４とを備えている。
【００１４】
ケーシング３は、内部が中空の薄型箱状に構成されており、下ケーシング６に上ケーシング７を取り付けて全体が構成されている。なお、下ケーシング６と上ケーシング７とはネジなどにより固定される。
下ケーシング６は、矩形状の底面９と、底面９の四辺から立設した側面１０とを備えて、上面が開口している。上ケーシング７は、矩形枠状に形成され下ケーシング６の上部に装着されるフレーム部１２を備え、このフレーム部１２に前記照光板２が支持されている。
【００１５】
照光板２は、乳半であり、具体的には乳半の拡散樹脂板（アクリル、ポリカーボネート等）又は拡散ガラス板が用いられている。拡散ガラス板としては、例えば、透明ガラスに拡散材を塗布したものや、ガラス内部に拡散材を練り込んだもの、磨りガラスにしたもの、表面又は全体の形状を微細な凹凸にしたものを採用できる。なお、拡散板（照光板）２の厚みは１〜３ｍｍ程度が好適である。
拡散板２の光拡散機能により、ＬＥＤ４からの光が拡散されて均一な照光面が得られる。本実施形態では、点状の光源であるＬＥＤ４を使用しても確実に均一な照光面を得るために、高ヘーズ低透過率の拡散板２が用いられている。具体的には、ヘーズ値が９０〜１００％であり、透過率が１５〜５０％である。高ヘーズ低透過率の拡散板２を用いることで、ＬＥＤ４による散点状の光が輝度ムラの少ない面状の光に変換され、ＬＥＤ４を光源として用いても発光品位を良好に保つことができる。
【００１６】
また、フレーム部１２の一辺部１２ａには、拡散板２に臨むようにフィルム支持部１３が設けられている。このフィルム支持部１３は、フレーム一辺部１２ａと略同等の長さを有している。フィルム支持部１３にＸ線写真フィルムを差し込むことで、Ｘ線写真フィルムは、その背後に拡散板２が位置した状態でシャウカステンに固定される。
【００１７】
拡散板２は、横長矩形状に形成されており、具体的には、半切サイズ（３５６×４３２ｍｍ）のＸ線写真フィルムを縦長にして横方向に３枚（複数枚）並べたときの大きさに略対応する大きさに形成されている。したがって、フィルム支持部１３には３枚のＸ線写真フィルムを並べて装着させ、３枚のＸ線写真フィルムを観察することができる。
【００１８】
ケーシング３内には、ＬＥＤ４の取付基板（電気回路基板）１４が配置されている。この取付基板１４は、照光板２と対向するように、下ケーシング６の底面９に配置されており、実質的にケーシング３の底面となっている。取付基板１４の上面１４ａは、白色に塗装されるか又は白色シート材等などを取り付けてなる白色表面層１４ａを備えており、この白色表面層１４ａがＬＥＤ４からの光を照光板２側に反射する反射面を形成している。すなわち、ＬＥＤの取付基板１４が反射材としても機能している。なお、下ケーシング６の側面１０の内側も白色の反射面とされている。
【００１９】
ＬＥＤ４は、ケーシング３の底面となる取付基板１４から拡散板２側へ向けて突出するように前記取付基板１４に取り付けられている。ＬＥＤ４は、取付基板１４上に散点状に多数配置されている。具体的には、図１に示すように、縦横に所定間隔をおいて規則的に配列されている。照光面２において輝度ムラが生じないように、各ＬＥＤ４間の間隔（横方向間隔及び縦方向間隔）はすべて一定に設定されている。ＬＥＤ４は、照光面２の全体が均一に発光するように、照光面２に対応する背後範囲全体にわたって設けられている。
【００２０】
観察装置１は、ケーシング３に設けられた図示しない電源装置を備えており、電源装置は、商用交流電源から供給される交流電力を５Ｖ程度の直流電力に変換する。それぞれのＬＥＤ４は、電源装置から供給される電力によって点灯する。図１に示すものでは、ＬＥＤ４の点灯・消灯は電源スイッチ１６のＯＮ／ＯＦＦ操作によって行われ、電源スイッチ１６をＯＮすると電源装置から全てのＬＥＤに電力供給が行われて全ＬＥＤ４が点灯し照光面２全体が発光する。また、電源スイッチ１６をＯＦＦすると電源装置からの電力供給が停止して全ＬＥＤ４が消灯し、照光面２全体が発光しなくなる。
【００２１】
図３及び図４は、第２実施形態に係る観察装置１を示している。第２実施形態において特に説明しない点は、第１実施形態と同様であるが、この第２実施形態では、照光面２を部分的に点灯させることができる点が第１実施形態との主要な相違点である。すなわち、照光面２には、３枚（複数枚）のＸ線写真フィルム（半切サイズ）を並べることができることに対応して、照光面２は、照光面２を長手方向（横方向）に３つ（複数）に分割した分割領域２１，２２，２３ごとに点灯・消灯可能になっている。各分割領域２１，２２，２３の点灯・消灯は、各分割領域２１，２２，２３に対応する点灯消灯スイッチ１６１，１６２，１６３によって行われる。第１点灯消灯スイッチ１６１は、第１分割領域２１の背後にあって第１分割領域２１を発光させるＬＥＤ群の点灯消灯が行えるように設けられており、同様に第２点灯消灯スイッチ１６２は第２分割領域２２の、第３点灯消灯スイッチ１６２は第３分割領域２３の背後にあるＬＥＤ群の点灯消灯が行えるように設けられている。
【００２２】
点灯消灯スイッチ１６１，１６２，１６３を操作して、Ｘ線写真フィルムのある分割領域だけを点灯させることで、Ｘ線写真フィルムのない分割領域からの光が観察者の目に入って眩しくなり読影阻害が起こるのを防止できる。また、必要に応じて部分的に消灯できるので省電力にもなる。なお、点灯消灯スイッチ１６１，１６２，１６３は、ケーシング３（のフレーム部１２）の前面に配置されており、各分割領域２１，２２，２３に対応した位置に配されている。
【００２３】
さらに、第２実施形態の観察装置１には、各分割領域２１，２２，２３の一部を消灯するための部分消灯スイッチ１８を備えている。この部分消灯スイッチ１８は、照光面２のフィルム支持部１３側を上にした場合において、照光面２の下部領域２５（図４の網掛範囲；フィルム支持部１３から離れた領域）が点灯しないようにするためのものである。この部分消灯スイッチ１８は、下部領域２５の背後にあるＬＥＤ群が点灯消灯スイッチ１６１，１６２，１６３の状態にかかわらず点灯しないように設けられている。したがって、部分消灯スイッチ１８を操作すると、点灯消灯スイッチ１６１，１６２，１６３によって点灯している上部領域２６（フィルム支持部１３に近い領域）が点灯したまま、下部領域２５が消灯する。
【００２４】
図３に示すように、大陸サイズ（２７９×３５６ｍｍ）などの半切サイズよりも小さいＸ線写真フィルムＦを支持部１３に支持させた場合、照光面２の下部領域２５が余り、この領域２５が発光していると光が目に入って眩しく読影を阻害するが、部分消灯スイッチ１８を操作して下部領域２５を消灯しておくことで、フィルム左右外方からの光が残るものの眩しさをかなり低減できる。なお、半切サイズよりも小さいサイズとしては大角サイズ（３５６×３５６ｍｍ）があり、大角サイズの場合、下部領域２５を消灯しておくことでフィルム左右外方向からの光もほとんどなく眩しさを大きく低減できる。
このように、図３及び図４の観察装置１では、異なるサイズのＸ線写真フィルム（半切、大陸、大角）を適切に観察することができる。
【００２５】
なお、図３及び図４では、一つの部分消灯スイッチ１８によって複数の分割領域２１，２２，２３のそれぞれの下部領域２５を一括して消灯するように構成されているが、部分消灯スイッチ１８を各分割領域２１，２２，２３に対応して設けて、それぞれの分割領域２１，２２，２３ごとに下部領域２５を消灯できるようにしてもよい。
【００２６】
図５は、第３実施形態に係る観察装置１を示している。この第３実施形態において特に説明しない点は、第１及び第２実施形態と同様であるが、この第２実施形態では、部分消灯スイッチ１８によって消灯される領域に下部領域２５だけでなく、各分割領域２１，２２，２３の左右側部領域２７，２８も含まれている（図５の網掛範囲）。第３実施形態の観察装置１によると、大陸サイズのＸ線写真フィルムの場合でもフィルム左右からの余分な光が少ないため、第２実施形態に比べて、大陸サイズのＸ線写真フィルムをより適切に観察することができる。
【００２７】
図６は、第４実施形態に係る観察装置１を示している。この第４実施形態において特に説明しない点は、第１及び第２実施形態と同様であるが、この第４実施形態では、消灯する範囲の異なる複数の部分消灯スイッチ１８１，１８２，１８３を備えている。第１部分消灯スイッチ１８１を操作すると、図７（ａ）の網掛範囲３１が消灯し大陸サイズに対応する。また、第２部分消灯スイッチ１８２を操作すると図７（ｂ）の網掛範囲３２が消灯し大角サイズに対応する。さらにまた、第３部分消灯スイッチ１８３を操作すると図７（ｃ）の網掛範囲３３が消灯し四切サイズ（２５２×３０３ｍｍサイズ）に対応する。したがって、第４実施形態では、異なる大きさのＸ線写真フィルムを適切に観察することができる。
【００２８】
図８及び図９は、第５実施形態に係る観察装置１を示している。この第５実施形態において特に説明しない点は、第１実施形態と同様である。第５実施形態では、照光面２における輝度が調整可能になっている。輝度調整はＬＥＤ４に供給される電流の値を可変することでも行えるが、多数のＬＥＤ４を備えている点を利用して、この第５実施形態では、点灯するＬＥＤ４の数を変えることで輝度を調整している。
【００２９】
図８及び図９は輝度調整の際のＬＥＤの点灯の仕方を示している。ここでは、図９に示すように、９個（複数個）のＬＥＤ４を一つのグループ（グループＡ又はグループＢ）として取り扱い、図８に示すように、観察装置１全体では、グループ（グループＡ又はグループＢ）が升目状に集合した状態となるように多数のＬＥＤ４が配置されている。ここで、グループＡとグループＢとは縦方向及び横方向にそれぞれ交互に配置されている。
【００３０】
輝度を大きくするには、点灯しているＬＥＤ４を多くし、輝度を小さくするには、点灯しているＬＥＤ４を少なくする。例えば、点灯しているＬＥＤを半分にするには、図９（ａ）に示すようにグループＡに属するＬＥＤのうち、白丸で示す５個のＬＥＤを点灯させ、図９（ｂ）に示すようにグループＢに属するＬＥＤのうち、白丸で示す４個のＬＥＤを点灯させることで、全体では点灯しているＬＥＤ４の数が半分になる。
【００３１】
また、点灯しているＬＥＤを１／３にするには、図９（ｃ）（ｄ）に示すようにグループＡ又はグループＢに属するＬＥＤのうち、白丸で示す３個のＬＥＤを点灯させることで、全体では点灯しているＬＥＤ４の数が１／３になる。
【００３２】
点灯しているＬＥＤ４の数を少なくする際には、グループＡとグループＢとでは、点灯するＬＥＤの位置が異なっており、グループＡとグループＢとが交互に配置されていることと相まって、全体では、点灯しているＬＥＤ４の分布がほぼ均等となっている。したがって、照光面２における発光ムラが少ない。
輝度の調整には、図示しないスイッチ（輝度調整スイッチ；部分消灯スイッチ）を操作することにより行える。例えば、図９（ａ）（ｂ）のパターンや、図９（ｃ）（ｄ）のパターンでＬＥＤ４を点灯・消灯させることで、輝度を段階的に調整できる。しかも、ＬＥＤ４への電流調整と組合せることが可能であり、組合せることにより電流調整だけの輝度調整よりも広範囲で輝度調整が行えるようになる。
【００３３】
図１０は、第６実施形態に係る観察装置１を示している。この第３実施形態において特に説明しない点は、第１実施形態と同様である。この第６実施形態では、発光色の異なる複数のＬＥＤ４ｒ，４ｇ，４ｂが近接配置されて一つのＬＥＤ群４０を構成しており、ＬＥＤ群４０が散点状に多数配置されている。ＬＥＤ群４０は、縦横に所定間隔をおいて規則的に配列されている。また、各ＬＥＤ群４０間の間隔（横方向間隔及び縦方向間隔）はすべて一定に設定されているＬＥＤ群４０を構成するＬＥＤは、赤色ＬＥＤ４ｒ、緑色ＬＥＤ４ｇ、青色ＬＥＤ４ｇであり、３つのＬＥＤの合成によって白色光が得られる。各ＬＥＤ４ｒ，４ｇ，４ｂに流れる電流は、色調整ボリューム４１によって調整可能となっており、各ＬＥＤ４ｒ，４ｇ，４ｂの発光バランスを変化させて、色を変化させることができる。したがって、青みがかった白色や赤みがかかった白色などの観察者の好みに応じた色の光が得られる。なお、ＬＥＤ群４０を構成するＬＥＤ数は２つでもよく、例えば青と白、橙と青の組合せなどが採用できる。また、ＬＥＤ群４０を構成するＬＥＤ数は４つ以上でもよい。
【００３４】
各実施形態に示すように、一つ一つが小さい点状であるＬＥＤ４を多数散点配置して、観察装置１の光源としたため、照光面２における発光範囲を自由に変化させてフィルムの大きさに柔軟に対応したり、光の輝度や色を自在に変化することが容易となっている。
【００３５】
【発明の効果】
本発明によると、フィルム観察装置を長寿命にでき、しかも簡単な構成で光のちらつきがなく、正確なフィルム観察を行うことができるようになる。
また、フィルム支持部の近くに配置された発光ダイオードを点灯させたまま、少なくとも前記フィルム支持部から離れて配置された発光ダイオードを消灯可能とした場合には、小さいフィルムの周囲から漏れる余分な光を低減することができる。
さらに、点灯する発光ダイオードの数を増減させることで輝度を調整可能とされているとともに、一部の発光ダイオードを消灯して輝度を低下させても、点灯している発光ダイオードがほぼ均等分布となっている場合には、輝度ムラを生じることなく簡単に輝度を調整することができる。
【００３６】
そして、多数の発光ダイオード全体の点灯・消灯操作を行える全点灯消灯スイッチと、当該全点灯消灯スイッチで点灯される発光ダイオードのうちのいくつかを消灯させる部分消灯スイッチと、を備えている場合には、全点灯消灯スイッチによって点灯させた発光ダイオードのうち、いくつか発光ダイオードを部分消灯スイッチによって消灯させることができる。
さらにまた、照光板が、ヘーズ値が９０〜１００％、光透過率が１５〜５０％である高へーズ低透過率の拡散板である場合には、効果的に輝度ムラを抑制できる。
【図面の簡単な説明】
【図１】第１実施形態に係る観察装置の分解斜視図である。
【図２】第１実施形態に係る観察装置の断面図である。
【図３】第２実施形態に係る観察装置の平面図である。
【図４】第２実施形態に係る観察装置における照光面発光状態の概念図である。
【図５】第３実施形態に係る観察装置における照光面発光状態の概念図である。
【図６】第４実施形態に係る観察装置の平面図である。
【図７】第４実施形態に係る観察装置における照光面発光状態の概念図である。
【図８】第５実施形態に係る観察装置におけるＬＥＤのグループの配置を示す図である。
【図９】グループＡ及びグループＢの発光の仕方を示す図である。
【図１０】第６実施形態に係る観察装置の内部平面図である。
【符号の説明】
１　フィルム観察装置（シャウカステン）
２　照光板（拡散板）
３　ケーシング
４　発光ダイオード
１３　フィルム支持部
１４　取付基板
１４ａ　反射面
１８　部分消灯スイッチ
１６１　点灯消灯スイッチ
１６２　点灯消灯スイッチ
１６３　点灯消灯スイッチ
【図１】
2004094031.tif 000003
【図２】
2004094031.tif 000004
【図３】
2004094031.tif 000005
【図４】
2004094031.tif 000006
【図５】
2004094031.tif 000007
【図６】
2004094031.tif 000008
【図７】
2004094031.tif 000009
【図８】
2004094031.tif 000010
【図９】
2004094031.tif 000011
【図１０】
2004094031.tif 000012